(57)【要約】【課題】撮影作業を行う場合に、柔軟に撮影現場での作業変更に対応すること等ができて、作業効率を高めることができるようにする。【解決手段】撮影リスト３１は、複数の項目３２を登録することができる。そして、項目３２ごとに撮影の内容を指示する情報が記録される。すなわち、各項目３２には、キャプション３３、撮影指示３４、部分切り出し３５、撮影時解像度３６、縮小時解像度３７、ＲＯＩ座標３８、色プレーン３９が対応つけて登録される。デジタルカメラは、この撮影リスト３１をＷｅｂサーバ上からダウンロードする。ユーザはキャプション３３、撮影指示３４の内容にしたがって撮影する。撮影後の画像は圧縮符号化され、その符号列から縮小時解像度３７の指定する解像度、ＲＯＩ座標３８、色プレーン３９で指定する部分のタイル、色プレーンだけを取り出した新たな符号列を作成し、Ｗｅｂサーバにアップロードする。【選択図】    図３
2004193814.tif 000002
【特許請求の範囲】
【請求項１】
画像を撮像する撮像素子と、
所定のネットワークと通信を行う通信インターフェイスと、
この通信インターフェイスを介して前記ネットワークの所定のサーバから項目ごとに撮影の内容を指示する情報が記録された撮影リストをダウンロードするダウンロード手段と、
前記撮像素子で撮影後の画像を圧縮符号化する圧縮符号化手段と、
この圧縮後の符号列中から前記撮影リストで指定されている要素だけを取り出して新たな符号列を作成する符号列変換手段と、
前記通信インターフェイスを介して前記新たな符号列を前記ネットワークの所定のサーバにアップロードするアップロード手段と、
を備えている撮像装置。
【請求項２】
前記撮像素子で撮影後の画像を前記撮影リストの前記項目と関連付けて記憶装置に記憶する記憶手段を備えている、請求項１に記載の撮像装置。
【請求項３】
前記符号列変換手段は、この圧縮後の符号列中から前記撮影リストで指定されている解像度に設定された新たな符号列を作成する、
請求項１又は２に記載の撮像装置。
【請求項４】
前記圧縮符号化手段は、前記撮像素子で撮影後の画像を１又は複数の小領域に分割しこの小領域ごとに独立して圧縮符号化するものであり、
前記符号列変換手段は、この圧縮後の符号列中から前記撮影リストで指定されている前記小領域だけを取り出して新たな符号列を作成する、
請求項１又は２に記載の撮像装置。
【請求項５】
前記圧縮符号化手段は、前記撮像素子で撮影後の画像を複数の色成分ごとに分割しこの色成分ごとに独立して圧縮符号化するものであり、
前記符号列変換手段は、この圧縮後の符号列中から前記撮影リストで指定されている前記色成分だけを取り出して新たな符号列を作成する、
請求項１又は２に記載の撮像装置。
【請求項６】
前記圧縮符号化手段は、前記撮像素子で撮影後の画像を１又は複数の小領域に分割しこの小領域ごとに独立して圧縮符号化するものであり、
この圧縮後の符号列中から所望のものの選択をユーザから受け付ける受付手段を備え、
前記符号列変換手段は、前記受付手段から前記選択を受け付けた前記小領域だけを取り出して新たな符号列を作成する、
請求項１又は２に記載の撮像装置。
【発明の詳細な説明】
【０００１】
【発明の属する技術分野】
本発明は、画像を撮像する撮像装置に関する。
【０００２】
【従来の技術】
撮影リストという機能が搭載されているデジタルカメラが存在する。この撮影リストの機能とは、撮影すべき被写体や撮影項目をリストアップした撮影リストを、あらかじめカメラ上で確認できるように準備しておくことで、撮影時にはそのリストを元に撮影し、撮影漏れをなくし、効率的に作業できるようにする機能である。
【０００３】
また、簡単なユーザプログラム（スクリプト）を実行できる機能を持ったカメラも商品化されており、あらかじめ撮影する手順が決まっている場合には撮影作業の手順の自動化が可能という、いくつかの手法が知られている。
【０００４】
【特許文献１】
特開２００２−１５８９５３公報
【特許文献２】
特開平１０−３４１３９６号公報
【０００５】
【発明が解決しようとする課題】
しかし、前記の従来のカメラでは、あらかじめカメラに何らかの設定を行う必要があり、撮影の現場に来てはじめて予定通りにいかないことがわかった場合等には十分に対応できないという不具合がある。
【０００６】
そこで、インターネット等のネットワークとカメラを接続可能として、ネットワークから撮影リストを取り出せるようにすれば、より柔軟に撮影現場での作業変更に対応でき、作業効率を飛躍的に高めることができる。
【０００７】
また、カメラで撮影した画像はネットワークを利用して複数の人の関わる共同作業の結果として生成される場合も多い。ネットワークを利用すれば、遠隔にいる撮影者に対し、撮影指示者が指示を出すことができ、撮影結果としての画像をネットワーク経由で受け取ることもできる。しかし、一般に写真画像ファイルを伝送する場合にはネットワークの速度が不足すると送信に時間がかかり、効率的に作業を進めるための阻害要因となる場合が少なくない。
【０００８】
本発明の目的は、撮影作業を行う場合に、柔軟に撮影現場での作業変更に対応すること等ができて、作業効率を高めることができるようにすることである。
【０００９】
本発明の別の目的は、この場合に、画像の送信を短時間で行えるようにして、作業効率を高めることである。
【００１０】
【課題を解決するための手段】
請求項１に記載の発明は、画像を撮像する撮像素子と、所定のネットワークと通信を行う通信インターフェイスと、この通信インターフェイスを介して前記ネットワークの所定のサーバから項目ごとに撮影の内容を指示する情報が記録された撮影リストをダウンロードするダウンロード手段と、前記撮像素子で撮影後の画像を圧縮符号化する圧縮符号化手段と、この圧縮後の符号列中から前記撮影リストで指定されている要素だけを取り出して新たな符号列を作成する符号列変換手段と、前記通信インターフェイスを介して前記新たな符号列を前記ネットワークの所定のサーバにアップロードするアップロード手段と、を備えている撮像装置である。
【００１１】
したがって、撮影の準備段階で、撮像装置にさまざまな設定を行う作業をネットワーク上のサーバに対して行うことができるので、いつでもどこからでも撮像装置がなくても撮影の準備作業が行える。そして、写真撮影した結果をサーバに保存していくことにより、撮像装置内に大事な画像を残すことなく、安全なサーバ上で保管することができる。さらに、撮像装置だけでは処理できない複雑な処理をサーバ上で実行できる。また、撮影者のほかに撮影指示者が存在する場合は、さらに、撮影指示者が同一のサーバにアクセスして、撮影作業に対して指示を出す場合に、撮影指示者から撮影者へサーバを通じて指示を伝えることができ、この撮影指示は撮影リストを撮像装置で読み取ることにより行うので、撮像装置に正確に伝えることができ、確実に作業ができるようになる。さらに、撮影するたびにサーバに撮像装置がアクセスして撮影リストを取得することで、撮影に必要な指示をタイムリーに得ることができる。そして、撮影指示者は、撮影者が送ってくる写真を自分の出した指示と見比べながら検討し、必要ならば新たに指示を出すことができる。さらには、必要な要素だけを取り出して作成した符号列をアップロードすることにより、データ量を低減でき、無駄がなく、効率のいいファイルのやりとりをすることができる。
【００１２】
請求項２に記載の発明は、請求項１に記載の撮像装置において、前記撮像素子で撮影後の画像を前記撮影リストの前記項目と関連付けて記憶装置に記憶する記憶手段を備えている。
【００１３】
したがって、与えられた項目に対してどのような画像が撮影されたかを容易に判断することができる。
【００１４】
請求項３に記載の発明は、請求項１又は２に記載の撮像装置において、前記符号列変換手段は、この圧縮後の符号列中から前記撮影リストで指定されている解像度に設定された新たな符号列を作成する。
【００１５】
したがって、必要な解像度とした符号列をアップロードすることにより、データ量を低減でき、無駄がなく、効率のいいファイルのやりとりをすることができる。
【００１６】
請求項４に記載の発明は、請求項１又は２に記載の撮像装置において、前記圧縮符号化手段は、前記撮像素子で撮影後の画像を１又は複数の小領域に分割しこの小領域ごとに独立して圧縮符号化するものであり、前記符号列変換手段は、この圧縮後の符号列中から前記撮影リストで指定されている前記小領域だけを取り出して新たな符号列を作成する。
【００１７】
したがって、必要な小領域だけを含んだ符号列をアップロードすることにより、データ量を低減でき、無駄がなく、効率のいいファイルのやりとりをすることができる。
【００１８】
請求項５に記載の発明は、請求項１又は２に記載の撮像装置において、前記圧縮符号化手段は、前記撮像素子で撮影後の画像を複数の色成分ごとに分割しこの色成分ごとに独立して圧縮符号化するものであり、前記符号列変換手段は、この圧縮後の符号列中から前記撮影リストで指定されている前記色成分だけを取り出して新たな符号列を作成する。
【００１９】
したがって、必要な色成分だけを含んだ符号列をアップロードすることにより、データ量を低減でき、無駄がなく、効率のいいファイルのやりとりをすることができる。
【００２０】
請求項６に記載の発明は、請求項１又は２に記載の撮像装置において、前記圧縮符号化手段は、前記撮像素子で撮影後の画像を１又は複数の小領域に分割しこの小領域ごとに独立して圧縮符号化するものであり、この圧縮後の符号列中から所望のものの選択をユーザから受け付ける受付手段を備え、前記符号列変換手段は、前記受付手段から前記選択を受け付けた前記小領域だけを取り出して新たな符号列を作成する。
【００２１】
したがって、ユーザが選択した必要な小領域だけを含んだ符号列をアップロードすることにより、データ量を低減でき、無駄がなく、効率のいいファイルのやりとりをすることができる。
【００２２】
【発明の実施の形態】
本発明の一実施の形態について説明する。
【００２３】
図１は、本実施の形態におけるシステムの全体構成を示すブロック図である。図１に示すように、本発明の撮像装置を実施するデジタルスチルカメラ（以下、単に「カメラ」という）１は、例えば携帯電話２１と接続されて、携帯電話網２２からインターネット２３に接続可能である。また、インターネット２３には、Ｗｅｂサーバ２４、パーソナルコンピュータ（ＰＣ）２５が接続されている。
【００２４】
図２は、カメラ１のブロック図である。図２に示すように、カメラ１は、レンズ２と、絞り３と、撮像素子としてのＣＣＤイメージセンサ４と、ＣＣＤイメージセンサ４の蓄積電荷のノイズを低減する２重相関サンプリング回路（ＣＤＳ回路）５と、ＣＣＤイメージセンサ４による撮像信号のゲインを自動調整するＡＧＣ回路６と、ＣＣＤイメージセンサ４で撮影したアナログ画像データをＡ／Ｄ変換するＡ／Ｄ変換回路７と、Ａ／Ｄ変換回路７でＡ／Ｄ変換後のデジタル画像データに所定の信号処理を行なう画像信号処理回路８と、絞り３、シャッタ速度、ＡＧＣ回路６の制御を行なう露出制御回路９と、レンズ２を駆動するフォーカス駆動回路１０とを備えている。
【００２５】
また、カメラ１の各部を集中的に制御するＣＰＵ１１と、ＣＰＵ１１が使用する各種制御プログラムなどを記憶したＲＯＭ１３と、ＣＰＵ１１のワークアエリアとなるＲＡＭ１２と、外部の携帯電話２１などと通信を行なう所定のインターフェイス１９と、この携帯電話２１を介してインターネット２３などから受信したデータを記憶する記憶装置である不揮発性メモリ１４と、画像信号処理回路８で処理後の画像データを記憶する記録メディア１５と、記録メディア１５に記憶する画像データをＪＰＥＧ２０００アルゴリズムで圧縮符号化し、また、この記録メディア１５に記憶されている圧縮符号化後の符号列を伸張する圧縮・伸張回路１６と、圧縮・伸張回路１６で圧縮後の符号列を並べ替えて新たな符号列を生成する符号列変換回路１９と、各種のメッセージを表示するＬＣＤなどで構成された表示装置１７と、各種の操作を受付ける操作パネル１８とを備えている。記録メディア１５は、具体的には、半導体メモリであってもよいし、磁気的又は光学的に画像データの記録が書換え可能に実行できる様々なリムーバブルメディアを用いることもできる。
【００２６】
まず、写真撮影の実行を指示する撮影指示者は、図３に例示するような撮影リスト３１のファイルをＰＣ２５を操作して作成する。図３に示すように、撮影リスト３１は、複数の項目３２（図３の例ではＮｏ．１〜５の項目３２が挙げられている）を登録することができる。そして、項目３２ごとに撮影の内容を指示する情報が記録される。すなわち、各項目３２には、キャプション３３、撮影指示３４、部分切り出し３５、撮影時解像度３６、縮小時解像度３７、ＲＯＩ座標３８、色プレーン３９が対応つけて登録される。
【００２７】
キャプション３３には、写真の撮影者に対して被写体を具体的に指示する情報を記録する。撮影指示３４には、撮影する際に注意すべき事項を具体的に指示する情報を記録する。部分切り出し３５には、撮影した画像中で部分的に切り出したい部分の情報を記録する。撮影時解像度３６には、撮影時の解像度（ドット数）を指定する情報を記録する。縮小時解像度３７には、撮影後の画像を縮小する際の解像度（ドット数）を指定する情報を記録する。ＲＯＩ座標３８には、ＲＯＩ（Ｒｅｇｉｏｎ  Ｏｆ  Ｉｎｔｅｒｅｓｔ）領域の座標を指定する情報を記録する。色プレーン３９には、色プレーン（Ｙ，Ｃｂ又はＣｒ）を指定する情報を記録する。
【００２８】
このような撮影リスト３１を作成すると、ユーザは、インターネット２３を介してＷｅｂサーバ２４の所定のロケーションに作成後の撮影リスト３１をアップロードする。
【００２９】
撮影リスト３１を作成した撮影指示者から写真撮影を指示された撮影者は、撮影場所においてカメラ１及びカメラ１に接続された携帯電話２２を操作して、Ｗｅｂサーバ２４に登録されている撮影リスト３１をダウンロードする。図４は、カメラ１による当該処理のフローチャートである。ＣＰＵ１１は、ＲＯＭ１３に格納されているプログラムに基づいて次のような処理を行う。すなわち、カメラ１は、ＲＯＭ１３に格納されているプログラムに基づく処理により、インターネット２３にアクセスすることができる。カメラ１の操作パネル１８の操作により撮影リスト３１のダウンロードの実行を指示すると（ステップＳ１のＹ）、ＲＯＭ１３に格納されているダウンローダが起動して、携帯電話２１、通信インターフェイス１９を介して携帯電話網２２からインターネット２３に接続し、Ｗｅｂサーバ２４の所定のロケーションに存在する撮影リスト３１をダウンロードし、ダウンロード手段を実現する（ステップＳ２）。そして、このダウンロードした撮影リスト３１を不揮発性メモリ１４に記憶する（ステップＳ３）。
【００３０】
このようにして不揮発性メモリ１４に取り込んだ撮影リスト３１の内容は、ディスプレイ１７に表示して撮影者が確認することができる。カメラ１による撮影作業は次のように行う。すなわち、ＣＰＵ１１は、ＲＯＭ１３に格納されているプログラムに基づいて次のような処理を行う。図５に示すように、撮影リスト３１の内容を閲覧して撮影者が特定の項目３２の内容の撮影をしようとするときは、所望の項目３２を操作パネル１８の操作により選択する（ステップＳ１１）。かかる選択がなされ（ステップＳ１１のＹ）、撮影者が被写体に向けてカメラ１を構え、不図示のシャッタボタンを押下すると（ステップＳ１２のＹ）、ＣＣＤ４から画像データが取り込まれ、Ａ／Ｄ変換回路７でＡ／Ｄ変換され、画像信号処理回路８で信号処理がなされた後（ステップＳ１３）、圧縮・伸張回路１６によりＪＰＥＧ２０００アルゴリズムで画像をタイルと呼ばれる小領域に分割し、この小領域ごとに独立して階層的に圧縮符号化して（圧縮符号化手段）（ステップＳ１４）、この圧縮後の符号列は記録メディア１５に記憶される（ステップＳ１５）。ステップＳ１５の記録メディア１５への記憶の際には、画像の符号列が撮影リスト３１のステップＳ１１で選択された項目３２と対応付けられて記憶される（記憶手段）。また、撮影は、該当する項目３２に対応する撮影時解像度３６に登録されている解像度（ドット数）にユーザがマニュアル設定して、あるいは、この解像度（ドット数）に自動設定して行われる。さらに、ステップＳ１４で画像データを圧縮符号化する際には、該当する項目３２に対応するＲＯＩ座標３８で指定されている座標領域にＲＯＩ領域を指定する。
【００３１】
このようにして撮影され記憶された画像の符号列は、その対応付けられている撮影リスト３１とともに、Ｗｅｂサーバ２４に送信することができる。次に、かかる送信の処理について、図６を参照して説明する。
【００３２】
すなわち、ＣＰＵ１１は、ＲＯＭ１３に格納されているプログラムに基づいて次のような処理を行う。まず、撮影者が操作パネル１８を操作して、Ｗｅｂサーバ２４への画像の送信を指示すると（ステップＳ２１のＹ）、該当する符号列の項目３２に対応している縮小時解像度３７、ＲＯＩ座標３８、色プレーン３９の各情報を撮影リスト３１から読み取り（ステップＳ２２）、この縮小時解像度３７で指定されている各画像の解像度（ドット数）となり、ＲＯＩ座標３８で指定されているＲＯＩ領域だけが含まれ、色プレーン３９で指定されている色成分（色プレーン）だけが含まれるように、記録メディア１５に記憶されている画像の符号列を別の新たな符号列に変換する（符号列変換手段）（ステップＳ２３）。そして、この変換後の各画像の符号列は、その対応付けられている項目３２の情報（あるいは撮影リスト３１）とともに、携帯電話２１、通信インターフェイス１９を介してＷｅｂサーバ２４の所定のロケーションにアップロードして、アップロード手段を実現する（ステップＳ２４）。
【００３３】
ここで、図７は、ステップＳ２２の符号列の変換処理の詳細を示す機能ブロック図である。かかるステップＳ２２の変換処理は符号列変換部４７が実現する。構文解析部４１は、処理対象となる符号列の構文を解析する。符号列変換部４７は、この解析結果に基づいて理対象の符号列から新たな符号列を以下のように作成する。すなわち、読み込まれた符号列は、ヘッダ・符号データ分割処理部４２で、ヘッダ部分と、符号データ部分とに分割される。選択部４３は、必要な符号データだけを残し、不要な符号データを削除する。続いて、ヘッダ処理部４４では、新たなメインヘッダ、タイルパートヘッダが生成される。そして、符号列合成部４５は、必要なものとして残された符号データと生成されたヘッダを、ＪＰＥＧ２０００の符号列に合成し、新たな符号列として出力する。これらの各部の処理は指示部４６の指示にしたがって行われる。なお、選択部４３における符号データの取捨選択は、符号列変換回路１９のハードウエアを用いて高速に処理する。
【００３４】
以上説明したように、Ｗｅｂサーバ２４を用いることで、撮影者が撮影指示者でもある場合には、撮影の準備段階で、カメラ１に設定する作業をＷｅｂサーバ２４に対して行うことができるので、いつでもどこからでもカメラ１がなくても準備作業が行える。そして、写真撮影した結果をＷｅｂサーバ２４にどんどん保存していくことにより、カメラ１内に大事な写真を残すことなく、安全なＷｅｂサーバ２４上で保管することができる。さらに、カメラ１だけでは処理できない複雑な処理をＷｅｂサーバ２４上で実行できる。
【００３５】
また、前述の例のように、撮影者のほかに撮影指示者が存在する場合は、さらに、撮影指示者がＰＣ２５から同一のＷｅｂサーバ２４にアクセスして、撮影作業に対して指示を出す場合に、撮影指示者から撮影者へＷｅｂサーバ２４を通じて指示を伝えることができ、この撮影指示は撮影リスト３１をカメラ１で読み取ることにより行うので、カメラ１に正確に伝えることができ、確実に作業ができるようになる。さらに、撮影するたびにＷｅｂサーバ２４にカメラ１がアクセスして撮影リスト３１を取得することで、撮影に必要な指示をタイムリーに得ることができる。そして、撮影指示者は、撮影者が送ってくる写真を自分の出した指示と見比べながら検討し、必要ならば新たに指示を出すことができる。
【００３６】
そして、カメラ１からＷｅｂサーバ２４に送信される画像は、撮影リスト３１の指定に基づいて必要な加工が施され、すなわち、必要な解像度で、必要な部分（ＲＯＩ領域）、必要な色プレーンだけが切り出されて送信されるので、送信するデータ量を低減でき、無駄がなく、効率のいいファイルのやりとりをすることができる。
【００３７】
すなわち、撮影指示者側で使用する写真の解像度を撮影の前からあらかじめ指定しておいて、Ｗｅｂサーバ２４から取り出す際にはただちに必要な解像度の画像データを取り出すことができるので、送信するデータ量を低減して送信をスムーズに行い、また、撮影指示者側で画像データを使用して行う作業が容易となる。
【００３８】
また、撮影指示者側で必要とする画像の部分だけを切り出して送信するので、送信するデータ量を低減して送信をスムーズに行い、また、撮影指示者側で画像データを使用して行う作業が容易となる。
【００３９】
さらに、撮影指示者側で必要とする特定の色プレーンだけを切り出して送信するので、送信するデータ量を低減して送信をスムーズに行い、また、撮影指示者側で画像データを使用して行う作業が容易となる。例えば、色情報が必要ない場合は、Ｙプレーンの情報だけ残すことで、モノクロ化し、ファイルサイズを小さくすることができる。
【００４０】
なお、図５の処理においては、ＲＯＩ座標３８の指定がなくても、撮影者が画像を切り出す領域をタイルごとに指定することもできる。すなわち、画像を送信する際には、ユーザの選択により、記録メディア１５に記憶されている符号列を圧縮・伸張回路１６で伸張し、ディスプレイ１７に表示する。図８に、この場合のディスプレイ１７の画面５１を示す。この画面５１上の画像が、例えば、３×３の９個のタイルで構成される場合、この各タイルの領域をライン５２で区切って画像を表示し、各タイル５３には番号を付すなどして、操作パネル１８で所望のタイル５３の番号を指定することを可能とする。そして、この指定したタイル５３のみが選択されて、ステップＳ２３で新たな符号列に変換されるようにすればよい。
【００４１】
【発明の効果】
請求項１に記載の発明は、撮影の準備段階で、撮像装置にさまざまな設定を行う作業をネットワーク上のサーバに対して行うことができるので、いつでもどこからでも撮像装置がなくても撮影の準備作業が行える。そして、写真撮影した結果をサーバに保存していくことにより、撮像装置内に大事な画像を残すことなく、安全なサーバ上で保管することができる。さらに、撮像装置だけでは処理できない複雑な処理をサーバ上で実行できる。また、撮影者のほかに撮影指示者が存在する場合は、さらに、撮影指示者が同一のサーバにアクセスして、撮影作業に対して指示を出す場合に、撮影指示者から撮影者へサーバを通じて指示を伝えることができ、この撮影指示は撮影リストを撮像装置で読み取ることにより行うので、撮像装置に正確に伝えることができ、確実に作業ができるようになる。さらに、撮影するたびにサーバに撮像装置がアクセスして撮影リストを取得することで、撮影に必要な指示をタイムリーに得ることができる。そして、撮影指示者は、撮影者が送ってくる写真を自分の出した指示と見比べながら検討し、必要ならば新たに指示を出すことができる。さらには、必要な要素だけを取り出して作成した符号列をアップロードすることにより、データ量を低減でき、無駄がなく、効率のいいファイルのやりとりをすることができる。
【００４２】
請求項２に記載の発明は、請求項１に記載の発明において、与えられた項目に対してどのような画像が撮影されたかを容易に判断することができる。
【００４３】
請求項３に記載の発明は、請求項１又は２に記載の発明において、必要な解像度とした符号列をアップロードすることにより、データ量を低減でき、無駄がなく、効率のいいファイルのやりとりをすることができる。
【００４４】
請求項４に記載の発明は、請求項１又は２に記載の発明において、必要な小領域だけを含んだ符号列をアップロードすることにより、データ量を低減でき、無駄がなく、効率のいいファイルのやりとりをすることができる。
【００４５】
請求項５に記載の発明は、請求項１又は２に記載の発明において、必要な色成分だけを含んだ符号列をアップロードすることにより、データ量を低減でき、無駄がなく、効率のいいファイルのやりとりをすることができる。
【００４６】
請求項６に記載の発明は、請求項１又は２に記載の発明において、ユーザが選択した必要な小領域だけを含んだ符号列をアップロードすることにより、データ量を低減でき、無駄がなく、効率のいいファイルのやりとりをすることができる。
【図面の簡単な説明】
【図１】本実施の形態におけるシステムの全体構成を示すブロック図である。
【図２】本実施の形態のデジタルスチルカメラの電気的な接続を示すブロック図である。
【図３】撮影リストの構成を示す概念図である。
【図４】撮影リストのダウンロード処理のフローチャートである。
【図５】撮影処理のフローチャートである。
【図６】画像のアップロード処理のフローチャートである。
【図７】符号列変換部の機能ブロック図である。
【図８】タイルに分割した画像を表示しているディスプレイの画面の平面図である。
【符号の説明】
１  撮像装置
４  ＣＣＤ
１９  通信インターフェイス
２３  ネットワーク
２４  サーバ
３１  撮影リスト
【図１】
2004193814.tif 000003
【図２】
2004193814.tif 000004
【図３】
2004193814.tif 000005
【図４】
2004193814.tif 000006
【図５】
2004193814.tif 000007
【図６】
2004193814.tif 000008
【図７】
2004193814.tif 000009
【図８】
2004193814.tif 000010